(57)【要約】      （修正有）【課題】即席カップ麺類の容器を断熱して、熱湯を入れても持ち易く、食べ残し汁を凝集し、廃棄処理を容易にした即席カップ麺類のす−マットを提供する。【解決手段】即席カップ麺類のカップ容器本体１のカップ容器外底２に、す−マット４を接着して断熱、熱湯を入れても持ち易くするのと、カップ容器外底２から、す−マット４を剥がしカップ容器内３に入れるとす−マットが溶解しながら食べ残し汁を凝集する、植物素材を使用し廃棄処理を容易にし、いろいろな場所で食べられるのに役立つ。【選択図】図１
0003142300.tif 000002
【実用新案登録請求の範囲】
【請求項１】
即席カップ麺類のカップ容器の外底に、す−マットを設け断熱する、カップ容器の外底から、す−マットを剥がしてカップ容器に入れ、残り汁を凝集するのを特長とする即席カップ麺類の、すーマット。
【考案の詳細な説明】
【技術分野】
【０００１】  本考案は、即席カップ麺等の熱湯を入れたカップ容器を持ちやすく断熱、麺などの、食べ残し汁を凝集し、廃棄を容易にするものである。
【背景技術】
【０００２】  従来の即席カップ麺類は、熱湯を入れるとカップ容器が熱く持てにくい、又即席カップ麺類はいろいろな場所で食べられるが、食べ残し汁の処理に困っていた。
【考案の開示】
【考案が解決しようとする課題】
【０００３】  食べる場所に移動するのは時間的、労働的負担がある。従って即席カップ麺類のカップ容器に断熱効果の、す−マットを接着して持って簡易に食べられるようにし。食べ残し汁は、す−マットで凝集する。廃棄処理も容易で前述の欠点を解決しようとするものである。
【課題を解決するための手段】
【０００４】  本考案は、即席カップ麺類容器本体の外底に同形で厚みがある平板状の、す−マットを設けカップ容器の外底を断熱する。又カップ容器の、す−マットを剥がしてカップ容器に入れ、食べ残し汁を凝集することにより廃棄処理が容易になり問題点を解決している。
【考案の効果】
【０００５】  上述の様に本考案の、す−マットは即席カップ麺類に熱湯を入れて容易に持てるようにカップ外底を断熱している。又カップ麺類の食べ残し汁は廃棄処理に特に問題があったが、す−マットはカップ容器の食べ残し汁を容易に凝集することにより、車内や屋外等でも食べられるように役立つ。
【考案の実施するための最良の形態】
【０００６】  す−マットは、カップ容器本体の外底と同形で中心部を接着し簡易に剥がせるようにし、カップ容器内に指定する熱湯量の２割程度の食べ残し汁を凝集する厚さで、す−マットが水分を含み溶解しながら凝集する。植物系素材を使用し低公害で廃棄処理を容易にしている。
【実施例】
【０００７】  以下、添付図面に従って一実施例を説明する。１は通常の即席カップ麺類のカップ容器本体、２はカップ容器の外底で熱湯温度が手に直接受ける部分、す−マット４を、２のカップ容器の外底に接着して断熱して持ちやすくする。カップ容器の食べ残し汁の処理には、２のカップ容器の外底から４の、す−マットを簡易に剥がし３のカップ容器内へ入れる、カップ容器の食べ残し汁の水分を含むと、す−マットが溶解し同時に凝集する。従って廃棄処理も低公害にすることができる。【０００８】  す−マットの素材は植物を原料に使用して、オゾン殺菌と熱加工で防腐をしている、無害だが食用には適していない。【０００９】  本考案の一実施例は上述の如き構成からなるものであるから、即席カップ麺類に熱湯を入れ持ち易くしたのと、食べ残し汁を凝集し、廃棄を容易にし、何処でも手軽に食べられるようにしている。
【図面の簡単な説明】
【００１０】
【図１】本考案の、即席カップ麺類の、す−マットの一実施例を示す正面図である。
【符号の説明】
【００１１】  １  カップ容器本体
２  カップ容器外底
３  カップ容器内
４  す−マット
【図１】
0003142300.tif 000003
【手続補正書】
【提出日】平成20年2月28日(2008.2.28)
【手続補正１】
【補正対象書類名】実用新案登録請求の範囲
【補正対象項目名】全文
【補正方法】変更
【補正の内容】
【実用新案登録請求の範囲】
【請求項１】
即席カップ麺類のカップ容器外底と同形にカットした平板を設け、カップ容器底に剥せるように接着する、植物素材でオゾン殺菌と熱乾燥した多孔質が断熱効果で、熱湯をいれ高温のカップ容器底を断熱するとともに、吸着と凝集効果があり、カップ容器で食べ残し汁を吸着して凝集するところを特徴とする即席カップ麺類の、す−マット。
【手続補正２】
【補正対象書類名】明細書
【補正対象項目名】全文
【補正方法】変更
【補正の内容】
【考案の詳細な説明】
【技術分野】
【０００１】    本考案は、即席カップ麺類のカップ容器外底に多孔質の平板を同形にして設けた、断熱と食べ残し汁を凝集する、す−マットに関するものである。
【背景技術】
【０００２】    即席カップ麺類に熱湯を入れて高温になったカップ容器は手に載せ持ちづらく、屋内外でも置いて食べるようにしてハンカチ等も使っていた、また、食べ残し汁の処分は常に問題になり、廃棄処分できる場所へ零さないように移動するのも困難であった。
【考案の開示】
【考案が解決しようとする課題】
【０００３】  食べ残し汁を零さないように廃棄処分できる場所に移動するのは労働的負担も大きく、また、食べられる場所も制限される。また、カップ容器が高温で持ちづらいから厚くする、のは経済的負担が大きい。従って、薄いカップ容器でも熱湯を入れ、手に載せ持ち易くする断熱機能とカップ容器内の食べ残し汁を吸着し凝集する機能を一体化することにより、廃棄処分や移動が容易になり全述の欠点を解決しようとするものである。
【課題を解決するための手段】
【０００４】  本考案は、即席カップ麺類のカップ容器外底と同形にカットした多孔質の平板を設け、カップ容器底に剥がし易く接着する、熱湯を入れ高温になったカップ容器底を断熱して手に載せ持ち易くする、オゾン殺菌と熱乾燥して吸着と凝集性があり、食べ終わってカップ容器外底から剥がし食べ残し汁に入れ、カップ容器で吸着しながら溶解し凝集することにより移動も廃棄処理も自在となり問題点を解決している。
【考案の効果】
【０００５】  上述の様に本考案の、す−マットは即席カップ麺類のカップ容器外底を断熱するので、従来の薄いカップ容器に熱湯をいれて高温になっても手に載せ持ち易くして食べられる。また、カップ容器を持ったまま、す−マットを剥して食べ終わったカップ容器に入れれば食べ残し汁を吸着し凝集してしまうので、持って移動することも廃棄処理も容易になり屋内外の色々な場所で安心して食べられるように役立つ。
【考案の実施するための最良の形態】
【０００６】  す−マットは植物素材でオゾン殺菌と熱処理をした多孔質を平板状にして、カップ容器外底に同型にカットして剥がし易くして接着する、熱湯が入った高温のカップ容器底を断熱して手に載せ持ち易くして食べられる、食べ終わった後の食べ残し汁はカップ容器外底から剥がしてカップ容器に入れ、食べ残し汁を吸着し凝集することにより、移動が容易で廃棄処分も自在となる。
【実施例】
【０００７】  以下、添付図面に従って一実施例を説明する。１は即席カップ麺類のカップ容器本体、２のカップ容器外底に、す−マット４を剥せるように接着して断熱しているので熱湯の入った薄いカップ容器も手に載せ持ち易くする。麺類の食べ残し汁を処理し易くするために、２の  カップ容器外底から剥して３のカップ容器へ入れると、カップ容器の食べ残し汁を吸着し、溶解しながら凝集する。【０００８】  食べ残り汁が入った１のカップ容器を持ちながら、す−マット４を２のカップ容器外底から剥して３のカップ容器内へ入れれば残り汁を吸着し溶解しながら凝集する。【０００９】  本考案の一実施例は上述の如き構成からなるものであるから、カップ容器本体１に熱湯をいれ即席カップ麺類を食べることは勿論であるがカップ容器外底２の、す−マット４が食べ易くして、廃棄処理を容易にする。
【図面の簡単な説明】
【００１０】
【図１】本考案の、即席カップ麺類の、す−マットとカップ容器本体の一実施例を示す斜視図である。
【符号の説明】
【００１１】    １  カップ容器本体
２  カップ容器外底
３  カップ容器内
４  す−マット
【手続補正３】
【補正対象書類名】図面
【補正対象項目名】全図
【補正方法】変更
【補正の内容】
【図１】
0003142300.tif 000004